(57)【要約】      （修正有）【課題】角度と位置が調整可能な音響密閉箱フレームを提供する。【解決手段】音響密閉箱フレーム１は、基座１０と管体１１、伸縮管、固定部材１３、コンロッド１４、固定ユニット１５、転動部材１６及び固定板１７から構成され、基座１０に管体１１が設置され、伸縮管が、管体内に設置され、その上下に移動でき、固定部材が、伸縮管の頂端に貫設され、３６０°に回転できて、そして、コンロッド１４の一端に、固定ユニット１５が設置され、上記固定ユニット１５が、転動部材１６に枢着され、転動部材１６が、固定ユニット１５に対して自在に転動でき、また、転動部材１６の一側に、音響密閉箱を実装するための固定板１７が設けられ、固定板１７が、転動部材１６を中心として回転でき、前記の構造の組立てと操作により、音響密閉箱フレーム１にある音響密閉箱は、必要とした角度に調整できる。【選択図】図１
0003182513.tif 000002
【実用新案登録請求の範囲】
【請求項１】
音響密閉箱が実装され、角度と位置が調整可能な音響密閉箱フレームにおいて、
管体が設置される基座と、
上記管体内に設置され、相対的に上下に移動できる伸縮管と、
上記伸縮管の上端に嵌設され、管体に対して上下移動や、３６０゜に左右回転できる固定部材と、
上記固定部材に結合されて、横方向に移動でき、一端に、固定ユニットが設置されるコンロッドと、
上記固定ユニットに対して回転できる転動部材と、
上記転動部材の一側に実装され、上記転動部材を中心として回転できる固定板と、
が含有される、
ことが特徴とする角度と位置が調整可能な音響密閉箱フレーム。
【請求項２】
上記伸縮管は、複数の固定穴が形成されることを特徴とする請求項１に記載の角度と位置が調整可能な音響密閉箱フレーム。
【請求項３】
上記管体に設置され、それぞれ、上記固定穴に係合されて、上記伸縮管を固定する少なくとも一つの第一定位部材が設けられることを特徴とする請求項２に記載の角度と位置が調整可能な音響密閉箱フレーム。
【請求項４】
上記固定部材は、
その中において、横方向に移動できるように、上記コンロッドが貫設される貫通穴が形成され、上記伸縮管の上端に嵌設され、３６０゜に左右回転できる蓋体と、
上記蓋体に嵌設され、上記コンロッドを上記蓋体に固定する少なくとも一つの第二定位部材と、
上記蓋体に嵌設されて、上記伸縮管に固定される少なくとも一つの第三定位部材と、
が含有される、ことを特徴とする請求項３に記載の角度と位置が調整可能な音響密閉箱フレーム。
【請求項５】
上記固定部材は、
その中において、横方向に移動できるように、上記コンロッドが貫設される貫通穴が形成され、上記伸縮管の上端に嵌設され、３６０゜に左右回転できるスリーブと、
上記スリーブに設置され、上記コンロッドを挟み持ってその位置を固定する少なくとも一つの第一挟み持ち部材と、
上記スリーブに設置されて、上記伸縮管を挟み持ってその位置を固定する少なくとも一つの第二挟み持ち定位部材と、
が含有される、ことを特徴とする請求項１に記載の角度と位置が調整可能な音響密閉箱フレーム。
【請求項６】
更に、上記固定ユニットが貫設され、上記転動部材をするロック調整部材が設けられることを特徴とする請求項１に記載の角度と位置が調整可能な音響密閉箱フレーム。
【請求項７】
上記ロック調整部材は、力を印加して上記転動部材を転動させる操作棒が設けられることを特徴とする請求項６に記載の角度と位置が調整可能な音響密閉箱フレーム。
【請求項８】
上記固定板の両端には、上記音響密閉箱の位置を固定する固定部が設けられることを特徴とする請求項１に記載の角度と位置が調整可能な音響密閉箱フレーム。
【請求項９】
上記固定ユニットと上記転動部材とは、互いに接触する面において、それぞれ、摩擦を増大する粗面層が形成されることを特徴とする請求項１に記載の角度と位置が調整可能な音響密閉箱フレーム。
【請求項１０】
上記固定ユニットと上記転動部材との互いに接触する面において、それぞれ、互いにロックして定位するためのジグザグ部が設置されることを特徴とする請求項１に記載の角度と位置が調整可能な音響密閉箱フレーム。
【考案の詳細な説明】
【技術分野】
【０００１】
本考案は、音響密閉箱フレームに関し、特に、角度を調整可能で、音響密閉箱の位置を安定化できる角度と位置が調整可能な音響密閉箱フレームに関する。
【背景技術】
【０００２】
時代の進歩や人類生活水準の高くなるとともに、物質や精神の享受も豊かになり、特に、精神享受方面には、音楽を聴くことが、極一般的なものであり、音楽を聴くには、音楽電器が一番便利なもので、そして、音楽電器に、高級というと、音響セットに指し、一般の音響セットは、ホストマシンと複数の音響密閉箱が含有され、ホストマシンの機能を利用して、音響密閉箱により音声拡大され、もっとも良い音楽放送効果が実現され、また、音響密閉箱が、適当に室内の各隅に配置されることにより、室内において、より良い効果音が得られるが、従来の、音響密閉箱を設置するための専用設計のないフレームにより、音響密閉箱が設置されることができるが、一般として、音響密閉箱が、任意に、地面や簡単なフレームに設置され、また、室内による空間の制限により、音響密閉箱が、適当に傾斜して設置されることが必要になり、上記の、従来のフレームは、傾斜に調整できず、また、上記の、従来のフレームが、固定形態であるため、必要に応じて、より良い音場効果の方向へ変化できず、そのため、実用的なものとは言えない。
【０００３】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００４】
本考案の主な目的は、角度を調整可能で、音響密閉箱の位置を安定化できる角度と位置が調整可能な音響密閉箱フレームを提供する。
【課題を解決するための手段】
【０００５】
上記の目的を達成するため、本考案に係る角度と位置が調整可能な音響密閉箱フレームは、音響密閉箱が実装されるためのものであり、管体が設置される基座と、上記管体内に設置され、相対的に上下に移動できる伸縮管と、上記伸縮管の上端に嵌設され、管体に対して、３６０゜に左右回転できる固定部材と、上記固定部材に結合されて、横方向に移動できるコンロッドと、上記固定ユニットに枢着され、上記固定ユニットに対して回転できる転動部材と、上記転動部材の一側に実装され、上記転動部材を中心として回転できる固定板と、が含有される。上記伸縮管に、複数の固定穴が形成され、また、上記管体に、それぞれ、上記固定穴に係合でき、上記伸縮管の位置を固定する少なくとも一つの第一定位部材がある。
【０００６】
本考案に係る固定部材の具体的な実施例は、その中において、横方向に移動できるように、上記コンロッドが貫設される貫通穴が形成され、上記伸縮管の上端に嵌設され、３６０゜に左右回転できる蓋体と、上記蓋体に設置され、上記コンロッドが、横方向に移動した後、固定される少なくとも一つの第二定位部材と、上記蓋体に設置されて、上記蓋体を固定される少なくとも一つの第三定位部材と、が含有される。
【０００７】
本考案に係る固定部材の他の具体的な実施例は、その中において、横方向に移動できるように、上記コンロッドが貫設される貫通穴が形成され、上記伸縮管の上端に嵌設され、３６０゜に左右回転できるスリーブと、上記スリーブに設置され、上記コンロッドを挟み持ってその位置を固定する少なくとも一つの第一挟み持ち部材と、上記スリーブに設置されて、上記伸縮管を挟み持ってその位置を固定する少なくとも一つの第二挟み持ち定位部材と、が含有される。
【０００８】
角度と位置が調整可能な音響密閉箱フレームの実施例によれば、更に、上記固定ユニットに貫設され、上記転動部材をロックするロック調整部材が設けられても良い。
【０００９】
角度と位置が調整可能な音響密閉箱フレームの実施例によれば、上記ロック調整部材には、力を印加して上記転動部材を転動させる操作棒が設けられても良い。
【００１０】
角度と位置が調整可能な音響密閉箱フレームの実施例によれば、上記固定板の両端には、上記音響密閉箱の位置を固定する固定部が設けられても良い。
【００１１】
角度と位置が調整可能な音響密閉箱フレームの実施例によれば、固定ユニットと上記転動部材とは、互いに接触する面において、それぞれ、摩擦を増大する粗面層が形成されても良い。
【００１２】
角度と位置が調整可能な音響密閉箱フレームの実施例によれば、固定ユニットと上記転動部材とは、互いに接触する面において、それぞれ、摩擦を増大するギクザク部が形成されても良い。
【考案の効果】
【００１３】
本考案によれば、必要に応じて、任意に、音響密閉箱の傾斜角度や音響密閉箱位置を調整でき、より実用的なものを提供して、使用便利性を向上することができる。
【００１４】
更に本考案によれば、音響密閉箱を、室内空間に合わせて、任意に設置や調整でき、また、室内景観の全体設計に応ずることでより便利なものとすることができる。
【００１５】
本考案の更に他の主な目的は、構造が簡単で、操作が便利であり、音響密閉箱の定位や調整に適合するものを提供する。
【図面の簡単な説明】
【００１６】
【図１】本考案のより良い実施例の立体図である。
【図２】本考案のより良い実施例の分解図である。
【図２Ａ】本考案のジグザグ部の構成図である。
【図３】本考案のより良い実施例の移動方向図である。
【図４】本考案の音響密閉箱を結合した状態の組立て図である。
【図４Ａ】図４の一部の拡大図である。
【図５】本考案の音響密閉箱の上下回転角度を変化した時の使用状態図である。
【図６】本考案の音響密閉箱の前後距離を変化した時の使用状態図である。
【図７】本考案の音響密閉箱の左右方向を変化した時の使用状態図である。
【図８】本考案の音響密閉箱の上下高さを変化した時の使用状態図である。
【図９】本考案に係る固定部材の他の実施例の構成図である。
【考案を実施するための形態】
【００１７】
以下、図面を参照しながら、本考案の特徴や技術内容について、詳しく説明するが、それらの図面等は、参考や説明のためであり、本考案は、それによって制限されることが無い。
【００１８】
図１と図２は、本考案のより良い実施例である。本考案に係る角度と位置が調整可能な音響密閉箱フレームは、基座１０と管体１１、伸縮管１２、固定部材１３、コンロッド１４、固定ユニット１５、転動部材１６及び固定板１７から構成され、基座１０に、管体１１が設置され、上記伸縮管１２が、上記管体１１内に設置され、その上下に移動でき、固定部材１３が、上記伸縮管１２の上端に嵌設されて、上記伸縮管１２により、支持され、これにより、固定部材１３が、３６０゜に左右回転でき、また、伸縮管１２が、管体１１に嵌設されるため、伸縮管１２の伸縮により、固定部材１３が、上下移動でき、そのため、コンロッド１４が、固定部材１３に結合されて、横方向に移動でき、上記コンロッド１４の一端に、固定ユニット１５が設置され、固定ユニット１５に、転動部材１６が枢着され、転動部材１６が、固定ユニット１５に対して回転でき、また、上記転動部材１６の一側に、上記転動部材１６を中心として回転できる固定板１７が設置される。上記伸縮管１２に、複数の固定穴１２０が形成され、また、それぞれ、上記固定穴１２０に係合でき、上記伸縮管１２の位置を固定する少なくとも一つの第一定位部材１１０が、設置される。
【００１９】
また、具体的な実施例である固定部材１３によれば、その中において、横方向に移動できるように、上記コンロッド１４が貫設される貫通穴１３０１が形成され、上記伸縮管１２の上端に嵌入され、３６０゜に左右回転できる蓋体１３０と、上記蓋体１３０に設置され、上記コンロッド１４を上記蓋体１３０に固定する少なくとも一つの第二定位部材１３０２と、上記蓋体１３０に設置されて、上記伸縮管１２に固定される少なくとも一つの第三定位部材１３０３と、が含有される
【００２０】
図２と図３を参照しながら、更に、上記固定ユニット１５に貫設されて、上記転動部材１６にロックされるロック調整部材１５１が、含有されても良い。また、ロック調整部材１５１に、力を印加して上記転動部材１６を転動させる操作棒１５２が貫設されてもよく、前記固定板１７の両端に、上記音響密閉箱２の位置を固定する固定部１７０があり、また、固定ユニット１５と上記転動部材１６とが、互いに接触する面に、それぞれ、摩擦を増大する粗面層１５０、１６０が形成される。また、固定部材１３の下方に、第三定位部材１３０３が設置され、それにより、固定部材１３が回転された後、伸縮管１２に定位される。図４と図４Ａのように、固定板１７の両端にある固定部１７０により、有効的に、音響密閉箱２を固定できる。
【００２１】
また、図５は、本考案の音響密閉箱を上下へ回転して角度を変えた時の使用状態図であり、また、図２を参照しながら、まず、操作棒１５２で、ロック調整部材１５１を弛めて、転動部材１６が自在状態になり、この時、必要に応じて、音響密閉箱２の回転角度を変化させ、角度を確定した後、操作棒１５２で、ロック調整部材１５１を締まり、この時、固定ユニット１５と転動部材１６とは、それぞれの接触面にある粗面層１５０、１６０が、互いに接触して摩擦力が増大され、ロック効果が強化され、弛めることを防止できる。
【００２２】
前記のように、ロック調整部材１５１と転動部材１６との摩擦力は、主として、粗面層１５０、１６０によって、増加され、また、図２Aに、固定ユニット１５aと転動部材１６aの互いに接触する接触面に、それぞれ、互いにロックと定位のギクザク部１５０a、１６０aが設置され、ギクザク部１５０aとギクザク部１６０aは、凹凸により、ロックと定位が実現され、転動できる自在状態にする場合、まず、両者を脱離させてから、転動部材１６aが回転でき、角度を変化可能になり、凹凸の粗面層１５０aと粗面層１６０aにより、定位効果が、有効に向上される。
【００２３】
また、図６は、本考案の音響密閉箱の前後距離を変化させた時の使用状態図であり、音響密閉箱２の前後距離を変化させる場合、まず、固定部材１３の第二定位部材１３０２を弛め、この時、コンロッド１４が、自在状態になって、直接に、貫通穴１３０１内において、移動でき、そのため、ユーザーのニーズに応じて、直接に、音響密閉箱２の前後距離を調整でき、距離の調整を終了した後、コンロッド１４に抵当するように、第二定位部材１３０２を締まると、完全に固定される。そして、図７は、本考案の音響密閉箱の左右方向を変化させた時の使用状態図であり、音響密閉箱２の左右方向を変化させる場合、まず、第三定位部材１３０３を弛め、この時、固定部材１３が、転動でき、ユーザーは、必要に応じて、音響密閉箱２を、左右に回転位置を調整でき、位置を選定した後、更に、第三定位部材１３０３を、固定部材１３が伸縮管１２に嵌設されると、左右へ回転する調整が終了される。また、図８は、本考案の音響密閉箱の上下の高さを変化する時の使用状態図であり、音響密閉箱の上下の高さを変化する場合、まず、第一定位部材１１０を、弛めて伸縮管１２から分離させ、この時、伸縮管１２が、自在に、上下に移動できる状態になり、伸縮管１２に、複数の固定孔１２０があるため、高さを調整した後、第一定位部材１１０を固定孔１２０に貫設して、伸縮管１２の管壁に抵当した後、第一定位部材１１０をロックし、有効に、伸縮管１２の位置を固定する。本考案の構造により、上記の各角度や位置を調整でき、角度を調整でき、音響密閉箱の位置を安定化する目的が実現される。
【００２４】
図９は、本考案に係る固定部材の他の実施例の構成図であり、上記の固定部材１３aは、その中において、横方向に移動できるように、上記コンロッド１４aが貫設される貫通穴１３０１aが形成され、上記伸縮管１２aの上端に嵌入され、３６０゜に左右回転できるスリーブ１３０aと、上記スリーブ１３０aに設置され、上記コンロッド１４aを挟み持って上記スリーブ１３０aに固定する少なくとも一つの第一挟み持ち部材１３０２aと、上記スリーブ１３０aに設置され、上記コンロッド１２aを挟み持って上記スリーブ１３０aの回転位置が固定される少なくとも一つの第二挟み持ち部材１３０３aと、が含有される。前記の第一挟み持ち部材１３０２aと第二挟み持ち部材１３０３aは、ともに、上記コンロッド１４aと上記伸縮管１２aに対して、締めることや弛めることが出来る。また、他の構成や作動が、前述と同じため、その説明を省略する。
【００２５】
本考案は、従来と異なる新規の音響密閉箱フレームであり、角度を調整して、最も良い音場効果が得られるだけでなく、構造が簡単で、操作が便利であるため、任意に傾斜角度を調整でき、それは、本考案のより良い実施例だけであり、本明細書において、例えば、“一つ”、“二つ”、“上”等の用語は、ただ、容易に理解できるためのものである。
【００２６】
そのため、本考案は、より進歩的かつより実用的で、法に従って実用新案登録請求を出願する。
【００２７】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の実用新案登録請求の範囲内に含まれる。
【符号の説明】
【００２８】
１    音響密閉箱フレーム
１０    基座
１１    管体
１１０    第一定位部材
１２    伸縮管
１２ａ  伸縮管
１２０    固定孔
１３    固定部材
１３ａ  固定部材
１３０    蓋体
１３０ａ  スリーブ
１３０１    貫通穴
１３０１ａ  貫通穴
１３０２    第二定位部材
１３０２ａ  第一挟み持ち部材
１３０３    第三定位部材
１３０３ａ  第二挟み持ち部材
１４    コンロッド
１４ａ  コンロッド
１５    固定ユニット
１５ａ  固定ユニット
１５１    ロック調整部材
１５２    操作棒
１５０、１５０ａ、１６０、１６０ａ  粗面層
１６、１６ａ  転動部材
１７    固定板
１７０    固定部
２    音響密閉箱
【図１】
0003182513.tif 000003
【図２】
0003182513.tif 000004
【図２Ａ】
0003182513.tif 000005
【図３】
0003182513.tif 000006
【図４】
0003182513.tif 000007
【図４Ａ】
0003182513.tif 000008
【図５】
0003182513.tif 000009
【図６】
0003182513.tif 000010
【図７】
0003182513.tif 000011
【図８】
0003182513.tif 000012
【図９】
0003182513.tif 000013